(57)【要約】【課題】運転時の騒音を低減した電気掃除機を提供すること。【解決手段】電動送風機２からの排気風を排出する排気口３４と、電動送風機２の吸引口２７と連通する集塵部４と、吸引口２７を除く電動送風機２全体を覆う防音ケース２６と、防音ケース２６に設けた開口部３０と、掃除機本体１と集塵部４との間に設けた閉空間部３１と、防音ケース２６の下方と掃除機本体１との間に設けられ排気口３４と連通する排気通路３２とを備え、防音ケース２６の開口部３０と閉空間部３１と排気通路３２とを連通することで、排気風は、防音ケースの２６開口部より排出され、閉空間部３１を介して排気通路３２を通り、排気口３４から排出されるようにした。これにより、電動送風機２から発生した騒音や排気の風切り音は、閉空間部３１内で共鳴し、ヘルムホルツ共鳴器と同一の消音効果が得られ、前記騒音や排気の風切り音を減衰させることが可能となる。【選択図】図２
2013034564.tif 000002
【特許請求の範囲】
【請求項１】
電動送風機を内包する掃除機本体と、
前記掃除機本体に設けられ前記電動送風機からの排気風を排出する排気口と、
前記電動送風機の吸引口と連通するように配置される集塵部と、
前記電動送風機の吸引口を除く全体を覆う防音ケースと、
前記防音ケースに設けた開口部と、
前記掃除機本体と前記集塵部との間に設けた閉空間部と、
前記防音ケースの下方と前記掃除機本体との間に設けられ前記排気口と連通する排気通路とを備え、
前記防音ケースの開口部は、前記閉空間部と連通し、かつ前記閉空間部は、前記排気通路と連通することで、
前記電動送風機からの排気風は、前記防音ケースの開口部より排出され、前記閉空間部を介して前記排気通路を通り、前記排気口から排出されるようにした電気掃除機。
【請求項２】
前記掃除機本体の前後方向を基準に、前記防音ケースに設けた開口部は、前記掃除機本体の前方方向に向いて開口され、さらに前記開口部と連通する前記閉空間部は、前記開口部よりも前方方向に配置し、前記排気口は、前記防音ケースよりも後方に配置した電気掃除機。
【請求項３】
前記集塵部にサイクロン集塵機を設けた電気掃除機において、
掃除機本体の前部に設けた吸気口と、
前記サイクロン集塵機に設けた流入口と、
前記吸気口と前記流入口とを連通させるパイプとを備え、
前記サイクロン集塵機の流入口は左右どちらかに偏ることに伴い、前記吸気口と前記流入口と連通するパイプが掃除機本体中心より左右どちらかに傾斜して設置され、前記パイプの反対側には前記閉空間部を形成した請求項１または２に記載の電気掃除機。
【請求項４】
前記閉空間部は、前記掃除機本体の下部を形成する下ケースと前記掃除機本体の上部を形成し前記集塵部を上部に収納する上ケースとの嵌合わせで構成されており、前記嵌合わせの嵌合部にシールパッキンを取り付けることで、前記閉空間部での空気漏れを無くし、前記閉空間部が防音室と機能するよう形成した請求項１〜３のいずれか１項に記載の電気掃除機。
【請求項５】
前記閉空間部の内部に、ウレタン等の吸音材を貼り付けた請求項１〜４のいずれか１項に記載の電気掃除機。
【請求項６】
前記防音ケースの開口部の排気上流側には、フィルター体を設けた請求項１〜５のいずれか１項に記載の電気掃除機。
【発明の詳細な説明】
【技術分野】
【０００１】
本発明は、騒音を低減できる電気掃除機に関するものである。
【背景技術】
【０００２】
近年の電気掃除機は、吸引風を発する電動送風機と、この電動送風機の上流側に配置されたサイクロン集塵機を搭載し、前記サイクロン集塵機内には塵埃及び空気が流入するが、この空気はサイクロン集塵機内を旋回して塵埃と遠心分離される。これにより、前記塵埃がサイクロン集塵機内に残る一方、空気がサイクロン集塵機外に出る。また、前記サイクロン集塵機は空気通路を介して電動送風機に接続されており、塵埃と遠心分離された空気がその空気通路内を電動送風機に向かって流れ、前記電動送風機を通過した空気は、電動送風機の前面に設置されたフィルターから、電動送風機の下の空気通路を通過し、掃除機本体後端面に設けられた複数の排気口から外に出る構成としていた（例えば、特許文献１参照）。
【先行技術文献】
【特許文献】
【０００３】
【特許文献１】特開２０１０−９９１８３号公報
【発明の概要】
【発明が解決しようとする課題】
【０００４】
しかしながら、前記従来の構成では、空気通路内を空気がサイクロン集塵機から電動送風機に向かって流れるが、電動送風機から発生した風切り音等は空気通路やその内壁を通過し掃除機本体の外部に伝わるので、騒音が発生するという課題を有していた。
【０００５】
本発明は、前記従来の課題を解決するもので、運転時の騒音を低減した電気掃除機を提供することを目的とする。
【課題を解決するための手段】
【０００６】
前記従来の課題を解決するために、本発明の電気掃除機は、
電動送風機を内包する掃除機本体と、
前記掃除機本体に設けられ前記電動送風機からの排気風を排出する排気口と、
前記電動送風機の吸引口と連通するように配置される集塵部と、
前記電動送風機の吸引口を除く全体を覆う防音ケースと、
前記防音ケースに設けた開口部と、
前記掃除機本体と前記集塵部との間に設けた閉空間部と、
前記防音ケースの下方と前記掃除機本体との間に設けられ前記排気口と連通する排気通路とを備え、
前記防音ケースの開口部は、前記閉空間部と連通し、かつ前記閉空間部は、前記排気通路と連通することで、
前記電動送風機からの排気風は、前記防音ケースの開口部より排出され、前記閉空間部を介して前記排気通路を通り、前記排気口から排出されるようにしたものである。
【０００７】
これによって、電動送風機から発生した騒音や排気の風切り音は、排気風に乗って防音ケースに設けた開口部から閉空間部に排出される。その際、閉空間部に入り込んだ空気は閉空間部内で共鳴することにより、ヘルムホルツ共鳴器と同一の消音効果が得られ、前記騒音や排気の風切り音を減衰させることが可能となる。
【発明の効果】
【０００８】
本発明の電気掃除機は、運転時の電動送風機から発生する騒音や排気の風切り音を低減することができる。
【図面の簡単な説明】
【０００９】
【図１】本発明の実施の形態１における電気掃除機の全体斜視図
【図２】同、掃除機本体の中央縦断面図
【図３】同、同電気掃除機の集塵部と上ケースとを外した状態の全体斜視図
【図４】同、同電気掃除機の集塵部を外し上ケースを設置した状態の全体斜視図
【図５】同、掃除機本体の上ケースを外した状態での掃除機本体の下半分を示す中央横断面図
【図６】同、掃除機本体の電動送風機中心における掃除機本体全体の縦断面図
【発明を実施するための形態】
【００１０】
第１の発明は、
電動送風機を内包する掃除機本体と、
前記掃除機本体に設けられ前記電動送風機からの排気風を排出する排気口と、
前記電動送風機の吸引口と連通するように配置される集塵部と、
前記電動送風機の吸引口を除く全体を覆う防音ケースと、
前記防音ケースに設けた開口部と、
前記掃除機本体と前記集塵部との間に設けた閉空間部と、
前記防音ケースの下方と前記掃除機本体との間に設けられ前記排気口と連通する排気通路とを備え、
前記防音ケースの開口部は、前記閉空間部と連通し、かつ前記閉空間部は、前記排気通路と連通することで、
前記電動送風機からの排気風は、前記防音ケースの開口部より排出され、前記閉空間部を介して前記排気通路を通り、前記排気口から排出されるようにしたもので、これによって、電動送風機から発生した騒音や排気の風切り音は、排気風に乗って防音ケースに設けた開口部から閉空間部に排出される。その際、閉空間部に入り込んだ空気は、閉空間部内で共鳴することにより、ヘルムホルツ共鳴器と同一の消音効果が得られ、前記騒音や排気の風切り音を減衰させることが可能となる。
【００１１】
第２の発明は、特に第１の発明の電気掃除機において、前記掃除機本体の前後方向を基準に、前記防音ケースに設けた開口部は、前記掃除機本体の前方方向に向いて開口され、さらに前記開口部と連通する前記閉空間部は、前記開口部よりも前方方向に配置し、前記排気口は、前記防音ケースよりも後方に配置したことにより、前記防音ケースに設けた前記開口部から排出された排気が、前記掃除機本体の前方方向に配置した閉空間部に流れ、閉空間部内で共鳴しヘルムホルツ共鳴器と同一の消音効果を得た後、さらに排気は逆方向へ旋回し、前記防音ケースの下方と前記掃除機本体との間の排気通路を通り、前記防音ケースよりも後方に配置した前記排気口に向けて排出されるため、前記開口部から前記排気口に至るまでの排気通路を長く確保できるため、より効果的に電動送風機から発生した騒音や排気の風切り音を減衰させることが可能となる。
【００１２】
第３の発明は、特に第１または第２の発明の集塵部にサイクロン集塵機を設けた電気掃除機において、掃除機本体の前部に設けた吸気口と、前記サイクロン集塵機に設けた流入口と、前記吸気口と前記流入口とを連通させるパイプとを備え、
前記サイクロン集塵機の流入口は左右どちらかに偏ることに伴い、前記吸気口と前記流入口連通するパイプが掃除機本体中心より左右どちらかに傾斜して設置され、前記パイプの反対側には前記閉空間部を形成したことにより、前記パイプの横側に比較的広い体積の前記閉空間部を確保することができ、前記閉空間部に入り込んだ空気は、よりいっそう閉空
間部内で共鳴することが可能となり、ヘルムホルツ共鳴器と同一の消音効果がより効果的に得られ、電動送風機からの騒音や排気の風切り音を減衰させることが可能となる。
【００１３】
第４の発明は、特に第１〜３のいずれか１つの発明の電気掃除機において、前記閉空間部は、前記掃除機本体の下部を形成する下ケースと前記掃除機本体の上部を形成し前記集塵部を上部に収納する上ケースとの嵌合わせで構成されており、前記嵌合わせの嵌合部にシールパッキンを取り付けることで、前記閉空間部での空気漏れを無くし、前記閉空間部が防音室として機能するよう形成したことにより、前記閉空間部に入り込んだ空気をシールパッキンで漏らすことなく嵌合部での空気漏れによる騒音が低減され、かつよりいっそう多くの空気内の騒音を閉空間部内で共鳴することが可能となり、ヘルムホルツ共鳴器と同一の消音効果により、電動送風機からの騒音や排気の風切り音を減衰させることが可能となる。
【００１４】
第５の発明は、特に第１〜４のいずれか１つの発明の電気掃除機において、前記閉空間部の内部に、ウレタン等の吸音材を貼り付けたことにより、閉空間部での空気の共鳴によるヘルムホルツ共鳴器と同一の消音効果に加え、さらに吸音材による吸音効果により、電動送風機からの騒音や排気の風切り音をさらに減衰させることが可能となる。
【００１５】
第６の発明は、特に第１〜５のいずれか１つの発明の電気掃除機において、前記防音ケースの開口部の排気上流側には、フィルター体を設けたことにより、前記フィルター体により前記防音ケース内の排気が前記開口部を介して前記閉空間部に急激に排出される排気流速を下げる効果をもたらし、前記閉空間部に流出する際の排気の風切り音をさらに減衰させることが可能となる。
【００１６】
（実施の形態１）
本発明の第１の実施の形態における電気掃除機について、図１〜６を用いて説明する。図１は、本発明の第１の実施の形態における電気掃除機の全体斜視図、図２は同電気掃除機の掃除機本体１の中央縦断面図、図３は同電気掃除機の集塵部４と上ケース１５とを外した状態の全体斜視図、図４は同電気掃除機の集塵部４を外し上ケース１５を設置した状態の全体斜視図、図５は上ケース１５を外した状態での同、掃除機本体１の下半分を示す中央横断面図、図６は同、掃除機本体１の電動送風機２中心における本体全体の縦断面図である。
【００１７】
本実施の形態における掃除機本体１は、外殻を形成する上ケース１５及び下ケース１６からなり、掃除機本体１を持ち運ぶ際に使用する本体ハンドル１７が、掃除機本体１の上部に取り付けられている。前記本体ハンドル１７には、前記集塵部４の上蓋部１８に回動自在に取り付けられた把手部１９の凸部２０と係合する凹部２１が設けられており、前記集塵部４を掃除機本体１に確実に保持固定している。
【００１８】
また、掃除機本体１には、後部に吸引風を発する電動送風機２を内蔵した電動送風機室３と電源コード巻取り装置２９が配され、前部に、掃除機本体１の下ケース１６に着脱自在で塵埃を分離捕集する集塵部４を収納する上ケース１５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸気口１０が設けられている。
【００１９】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃を吸引する吸引部（図示せず）を有する吸い込み具１４に着脱自在に接続される。
【００２０】
掃除機本体１は、外殻を形成する上ケース１５及び下ケース１６からなり、掃除機本体１を持ち運ぶ際に使用する本体ハンドル１７が、掃除機本体１の上部に取り付けられている。前記本体ハンドル１７には、前記集塵部４の上蓋部１８に回動自在に取り付けられた把手部１９の凸部２０と係合する凹部２１が設けられており、前記集塵部４を掃除機本体１に確実に保持固定している。
【００２１】
前記電動送風機２の前部は、弾性材料からなるサポート前２２で、後部は、同じく弾性材料からなるサポート後２３で支持され、前記電動送風機２から発生する騒音を低減する為のモーターケース左２４とモーターケース右２５で挟持されており、さらに、前記電動送風機２を取り囲むモーターケース左２４とモーターケース右２５および前記電動送風機２の吸引口２７を除く全体を覆う防音ケース２６が備えられている。
【００２２】
そして防音ケース２６は、防音ケース下２６ａと防音ケース蓋２６ｂとで形成され、前記電動送風機の吸引口２７を除く全体をとり囲むように構成されており、防音ケース２６には、開口部３０が設けられている。そして、この開口部３０は、掃除機本体１の前後方向を基準に、前記掃除機本体１の前方方向に向いて開口されている。
【００２３】
前記防音ケース２６の開口部３０の排気上流側には、電動送風機２の排気に含まれるごく微細な塵埃を捕集するフィルター体２８を設けている。
【００２４】
また、掃除機本体１と集塵部４との間の空間部において、集塵部４を収納する上ケース１５を掃除機本体１の下ケース１６に装着することで、掃除機本体１の下ケース１６と上ケース１５とで閉空間部３１を構成している。
【００２５】
そして、前記防音ケースの開口部３０は、この開口部３０より前方に配置した前記閉空間部３１と連通している。
【００２６】
また、前記防音ケース２６の下方と前記掃除機本体１との間には、前記閉空間部３１と後述する排気口３４と連通する排気通路３２が備えられている。
【００２７】
また、防音ケース２６よりも後方の掃除機本体１には、後方外郭を形成するカバー体３３の一部に形成した排気口３４が設けられ、電動送風機２からの排気風をこの排気口３４から外気へ排出される構成としている。
【００２８】
以上のような構成にすることで、前記フィルター体２８を通過したきれいな空気は、前記フィルター体２８の前面に形成された開口部３０を通過し、前記開口部３０と連通する閉空間部３１へ一旦流れ込む。そして、閉空間部３１へ流れ込んだ空気が共鳴することにより、ヘルムホルツ共鳴器と同一の効果が得られ、電動送風機から発生した騒音や排気の風切り音を減衰させる。その後、さらに排気は逆方向へ旋回し、前記防音ケース２６の下方と前記掃除機本体１との間の排気通路３２を通り、前記防音ケース２６よりも後方に配置した前記排気口３４に向けて排出されるため、前記開口部３０から前記排気口３４に至るまでの排気通路を長く確保できるため、より効果的に電動送風機２から発生した騒音や排気の風切り音を減衰させることが可能となる。
【００２９】
また、前記集塵部にサイクロン集塵機を設けた円筒サイクロンダストボックス３５を備えた電気掃除機において、掃除機本体の前部に設けた吸気口１０と、前記円筒サイクロンダストボックス３５に設けた流入口（図示さず）と、前記吸気口と前記流入口とを連通させるパイプ３６とを備えている。
【００３０】
前記円筒サイクロンダストボックス３５の流入口は左右どちらかに偏ることに伴い、前記吸気口１０と前記流入口と連通するパイプ３６が掃除機本体１中心より左右どちらかに傾斜して設置され、前記パイプ３６反対側には前記閉空間部３１が形成される。
【００３１】
そして、前記パイプ３６の反対側には前記閉空間部３１を形成したことにより、前記パイプ３６の横側に比較的広い体積の前記閉空間部３１を確保することができ、前記閉空間部３１に入り込んだ空気は、よりいっそう閉空間部３１内で共鳴することが可能となり、ヘルムホルツ共鳴器と同一の消音効果がより効果的に得られ、電動送風機２からの騒音や排気の風切り音を減衰させることが可能となる。
【００３２】
さらに、前記閉空間部３１を形成するため、外殻を形成する上ケース１５および下ケース１６の嵌合部に、シールパッキン（図示せず）を取り付け、空気漏れを無くした防音室を形成することにより、前記閉空間部３１に入り込んだ空気をシールパッキンで漏らすことなく嵌合部での空気漏れによる騒音が低減され、かつよりいっそう多くの空気内の騒音を閉空間部３１内で共鳴することが可能となり、ヘルムホルツ共鳴器と同一の消音効果により、電動送風機２からの騒音や排気の風切り音を減衰させることが可能となる。
【００３３】
また、図５に示すように、閉空間部３１の内壁にウレタン等の吸音材３７を貼り付けることにより、ヘルムホルツ共鳴器と吸音材３７による吸音の両方の効果が得られ、高周波音となる前記風切り音をより一層減衰させることができる。
【００３４】
また、前記集塵部４は、構成部品を大きく分けると、外郭は円筒サイクロンダストボックス３５と、前記円筒サイクロンダストボックス３５の上面を塞ぐように構成された上蓋部１８と、前記上蓋部１８に備え付けられた把手部１９と、前記円筒サイクロンダストボックス３５の下面を塞ぐように設けられた底蓋部３８とから構成される。
【００３５】
前記円筒サイクロンダストボックス３５内には一次フィルター３９と前記一次フィルター３９の下に延出部４０が爪による嵌合、または溶着などの手段により取り付けられており、前記一次フィルター３９上方には二次フィルター４１、前記二次フィルター４１に蓄積した塵埃を振動などの手段により落とすための除塵部４２、前記除塵部４２に振動を与える手段となるモーター部４３を備えている。
【００３６】
前記円筒サイクロンダストボックス３５の吸気口（図示せず）からサイクロン空間４４に吸い込まれる塵埃の混じった空気は、前記一次フィルター３９により発生する旋回流により綿ごみを主とした塵埃と細塵を含んだ空気とに分離され、綿ごみを主とした塵埃は集塵通路４５を通り塵埃蓄積空間４６へと蓄積されていく。
【００３７】
前記塵埃蓄積空間４６へ蓄積された綿ごみを主とした塵埃は前記一次フィルター３９に取り付けられた前記延出部４０と前記円筒サイクロンダストボックス３５に形成した傾斜部４７によって垂直上方に壁を形成することでサイクロン空間４４への舞い戻りを防ぎ、集塵効率を高める構成となっている。
【００３８】
前記一次フィルター３９を通過した細塵を含んだ空気は、細塵が前記二次フィルター４１によって濾過され、細塵を含まない空気のみが前記二次フィルター４１を通過し連通口４８を通過し前記電動送風機２に吸引される。
【００３９】
前記二次フィルター４１に堆積した細塵は前記除塵部４２に与えられる振動によって前記二次フィルター４１から剥離し、前記一次フィルター３９内を通り前記一次フィルター３９下方に位置する筒４９へと蓄積する。
【００４０】
なお、集塵部について、本実施の形態では、サイクロン式の集塵装置を用いたが、紙袋等の袋状体を用いたものにおいても運転時の騒音を低減できるという効果が同様に得られるものである。
【産業上の利用可能性】
【００４１】
以上のように、本発明にかかる電気掃除機は、運転時の騒音を低減できるので、家庭用や業務用の電気掃除機等の用途にも適用できる。
【符号の説明】
【００４２】
１  掃除機本体
２  電動送風機
４  集塵部
１０  吸気口
１５  上ケース
１６  下ケース
２６  防音ケース
２６ａ  防音ケース下
２６ｂ  防音ケース蓋
２７  吸引口
２８  フィルター体
３０  開口部
３１  閉空間部
３２  排気通路
３５  円筒サイクロンダストボックス（サイクロン集塵機）
３６  パイプ
３７  吸音材
【図１】
2013034564.tif 000003
【図２】
2013034564.tif 000004
【図３】
2013034564.tif 000005
【図４】
2013034564.tif 000006
【図５】
2013034564.tif 000007
【図６】
2013034564.tif 000008